(57)【要約】      （修正有）【課題】加工が簡単な組み立て式ダンボールエルボを提供する。【解決手段】エルボは、最適な箇所に折り目が入っている３つのパーツに分かれたダンボール板を組み合わせたもので、固化材等で表面を固化することにより、板金材の代替品となりうる。外装材をダンボール製にすることにより、加工・取り付けは数段容易になり、併せて仕上げに固化材を使用することにより、硬質性は確保できるようになる。それにより板金加工・取り付け専門の作業員を確保する必要がなくなり、板金の加工・取付けに必要であった１０〜２０ケの道具がハサミ１つでの加工が可能となる。【選択図】図１
0003229790.tif 000002
【実用新案登録請求の範囲】
【請求項１】
トイレットペーパーの芯のような直線形の２本の紙製の筒を垂直に取り付ける際の直角部を「折り」・「曲げ」・「差し込み」・「粘着テープ貼り」で「Ｌ」字に整形するために最適な部分に折り目、切り目を加工することを特徴とする、３つのパーツからなるダンボール板。
【考案の詳細な説明】
【技術分野】
【０００１】  ３つのパーツに分かれたダンボールを「折り」・「曲げ」・「差し込み」・「粘着テープ貼り付け」にて２本の紙の筒を垂直に取り付ける「エルボ」部の作製に関するものである。
【背景技術】
【０００２】  屋外で設置された保温材が取り付けられた配管の外装材としてステンレス鋼板や亜鉛鉄板等の板金材が使用されていた。その為、直管と直管を垂直に取り付けるための「エルボ」部も同様に板金材が使用されていた。
【考案の概要】
【０００３】  従来この種の外装化粧材は強度を求めるため、ステンレス鋼板・アルミ鉄板・亜鉛鉄板などが使用され、それにより、配管に取り付けた保温材等の機能が保たれていた。
ダンボール製で施工する場合、仕上げで固化剤等を用いて強度は高めることは可能である。しかし、ダンボール製で直管部を筒型の形状にすることは容易であるが、エルボ部を製作するのは困難であった。
【課題が解決するための手段】
【０００４】  本考案は上記従来例の問題点を解決すべく直管部をダンボール製とすると共に「エルボ」部もダンボール製で図３の形状のものを決められた箇所で「折り」・「曲げ」・「差し込み」・「粘着テープ貼り付け」して加工することにより問題点を解決している。
【０００５】  ダンボールは表ライナー・裏ライナーと呼ばれるボール紙の間に波型に成型された「中芯」が貼り合わされているため、自力では折りたい箇所に対して正確な位置で折ることが困難である。しかし、機械を使うことにより、正確な位置で折り曲げることが可能となる。
【考案の効果】
【０００６】・“１２”部と“１３”部の２辺が重なり合うようにして固定させる
・“４”部に“８”部を差し込み、“７”部に“９”部を差し込み固定させる
・エルボの両サイドの“口”が作られるように“１２”部と“１３”部の固定部を“４部と８部”、“１２部と１３部”が固定された箇所で覆う
・エルボの両サイドの“口”の形が丸型になったところで固定させる
・組み立てたエルボに欠けているパーツ（“１”部、“２”部）を填め込む
・エルボの隙間を無くすために粘着テープを貼り、形状を整えるとともに全体を固定させる。
【図面の簡単な説明】
【０００７】
【図１】パーツを填め込んだダンボールエルボの側面
【図２】［図１］のダンボールエルボの反対側の図
【図３】“１”、“２”が填め込まれていないダンボールエルボの展開図
【図４】［図２］における“１”、“２”に填め込むパーツ
【考案を実施するための形態】
【０００８】  本来、屋外部に設置された配管に施工された保温材等の外装材として使用されているステンレス鋼板・アルミ鉄板・亜鉛鉄板等の材質は固く、切断・折り曲げなどの取り付けが難しく、施工する上での技術が必要となり技術を伴う作業員の数が減少している中で難しい加工・取り付けを容易に出来るように工夫されたものが「ダンボール製による外装材」である。
【実施例】
【０００９】  材料がステンレス鋼板等の板金材からダンボール製に代わることにより、切断・折り曲げが容易となり、なお且つ保温された配管の外装材として施行されたダンボール製の外装材に固化剤を塗りつけることにより、強度を確保出来るようになり本来鉄板材で加工していたものと同様に仕上げることが可能となる。【００１０】  配管の直管部に関しては、４角形の用紙の４つある辺のうちの２つの平行に位置する辺どうしを接着させることにより“筒”は完成する。エルボ部に関しては、直管の配管が直角に曲がった配管の手前と直後の２つの“筒”の両方の先端部に重ねるように
エルボ部を製作するための各部位が、最適な箇所に折り目が入っている３つのパーツに分かれたダンボール板を組み合わせて作成したエルボを使用することにより、隙間なく一本の配管の紙製の外装材となり、固化材等で表面を固化することにより、板金材の代替品となりうる。
【符号の説明】
【００１１】１．組み立て式ダンボールエルボのパーツ。
２．組み立て式ダンボールエルボのパーツ。
３．組み立て式ダンボールエルボのパーツの差し込み、填め込み部。
４．組み立て式ダンボールエルボのパーツの填め込み部。“８”部を差し込む。
５．組み立て式ダンボールエルボのパーツの填め込み部。“１４”部を差し込む。
６．組み立て式ダンボールエルボのパーツの填め込み部。“１６”部を差し込む。
７．組み立て式ダンボールエルボのパーツの填め込み部。“９”部を差し込む。
８．組み立て式ダンボールエルボのパーツの填め込み部。“４”部へ差し込む。
９．組み立て式ダンボールエルボのパーツの填め込み部。“７”部へ差し込む。
１０．組み立て式ダンボールエルボのパーツの填め込み部。“１５”部を差し込む。
１１．組み立て式ダンボールエルボのパーツの填め込み部。“１７”部を差し込む。
１２．“１３”部と重ね合わせてダンボールエルボを組み立て、両サイドからの直管の接続口の半分を形成する。
１３．“１２”部と重ね合わせてダンボールエルボを組み立て、両サイドからの直管の接続口の半分を形成する。
１４．組み立て式ダンボールエルボのパーツの填め込み部。“５”部を差し込む。
１５．組み立て式ダンボールエルボのパーツの填め込み部。“１０”部を差し込む。
１６．組み立て式ダンボールエルボのパーツの填め込み部。“６”部を差し込む。
１７．組み立て式ダンボールエルボのパーツの填め込み部。“１１”部を差し込む。
【図１】
0003229790.tif 000003
【図２】
0003229790.tif 000004
【図３】
0003229790.tif 000005
【図４】
0003229790.tif 000006
【手続補正書】
【提出日】令和2年6月16日(2020.6.16)
【手続補正１】
【補正対象書類名】実用新案登録請求の範囲
【補正対象項目名】全文
【補正方法】変更
【補正の内容】
【実用新案登録請求の範囲】
【請求項１】
トイレットペーパーの芯のような直線形の２本の紙製の筒を垂直に取り付ける際の接続用部品を作製するための３種類の形状のダンボール板。
【手続補正書】
【提出日】令和2年9月16日(2020.9.16)
【手続補正１】
【補正対象書類名】実用新案登録請求の範囲
【補正対象項目名】全文
【補正方法】変更
【補正の内容】
【実用新案登録請求の範囲】
【請求項１】
直管と直管を垂直に取り付けるためのエルボ部であって、前示エルボ部はダンボール製である、エルボ部。